(57)【特許請求の範囲】
【請求項１】
トラクタの後部に昇降可能の連結装置を介して、上下回動可能のエプロン及び均平板を備えたロータリ作業機の長さ方向中央作業部分を装着し、該中央作業部分に対して前記トラクタから動力を伝達すると共に、前記中央作業部分から左右両側に延出している折り畳み作業部分を、それぞれ中央作業部分側に折り畳み可能とした農作業機であって、
上記均平板は、その中央部分と該中央部分から左右両側に延出する折り畳み部分の対向部分に、その一方にバネにより常時連結側に付勢されている連結ピンを設け、他方に該連結ピンの先端部と当接する傾斜案内板、及び該傾斜案内板により案内された連結ピンを挿通して連結する連結孔を備えてなる自動連結手段を設けたことを特徴とする折り畳み農作業機。
【請求項２】
上記均平板は、前記折り畳み部分を折り畳み状態から作業状態に展開して、前記連結ピンの先端部を前記傾斜案内板に当接させた状態で作業を開始して前記均平板の前記中央部分と左右の前記折り畳み部分が接地抵抗により同じ高さになったとき、前記連結ピンが前記傾斜案内板により案内されて前記連結孔に自動的に挿通され、連結されることを特徴とする請求項１記載の折り畳み農作業機。
【発明の詳細な説明】
【０００１】
【発明の属する技術分野】
本発明は、ロータリ代掻き作業機のような左右方向の長さが長く、均平板を備える農作業機の長さ方向中央作業部分に対し、左右両側に延出している折り畳み作業部分を折り畳み可能、自動連結・連結解除するようにした農作業機に関する。
【０００２】
【従来の技術】
従来、トラクタの後部に昇降可能の連結装置を介して、基端部が回動可能の均平板を有する農作業機の長さ方向中央作業部分を装着し、前記トラクタから農作業機の中央作業部分に動力を伝達すると共に、前記中央作業部分に対し、該中央作業部分から左右両側に延出している折り畳み作業部分を、それぞれ中央作業部分側に折り畳み可能とした，ロータリ代掻き作業機のような農作業機が周知である。
【０００３】
上記ロータリ代掻き作業機の均平板に、その中央部分と中央部分から左右両側に延出する折り畳み部分とを、ヒンジにより常時接続状態に連結したものがあるが、左右の折り畳み部分の折り畳み範囲に限界があり、例えば、中央部分の上側に左右の折り畳み部分を重ねるようにして折り畳むことはできず、また、左右の折り畳み部分を折り畳んだ状態で作業を行うと、均平板の中央部分は基端部が回動することができず、十分な均平作業が行えない。また、中央部分と左右の折り畳み部分とを、ヒンジにより連結していないものでは、左右の折り畳み部分の折り畳み範囲が広くなって、安定した折り畳み状態が得られるが、折り畳み部分を折り畳み状態から作業状態に展開したとき、あるいは、左右の折り畳み部分を使用状態から折り畳むときには、中央部分と左右の折り畳み部分の対向部分を手作業により連結、連結解除を行っている。
【０００４】
【発明が解決しようとする課題】
上記のように従来のロータリ代掻き作業機の均平板においては、中央部分と左右の折り畳み部分とをヒンジにより連結した場合には、左右の折り畳み部分の折り畳み範囲に限界があり、また、左右の折り畳み部分を折り畳んだ状態で作業を行うと、中央部分の均平板は回動することができずに十分な均平作業を行うことができない。また、中央部分と左右の折り畳み部分とをヒンジにより連結していないものは、左右の折り畳み部分の折り畳み範囲が広くなって安定した折り畳み状態が得られるが、折り畳み部分を折り畳み状態から作業状態に展開したとき、あるいは、左右の折り畳み部分を使用状態から折り畳むときには、中央部分と左右の折り畳み部分の対向部分を手作業により連結し、また連結解除する必要がある、という解決すべき問題点があった。
【０００５】
本発明は、均平板の中央部分と左右の折り畳み部分とをヒンジにより連結していないことで、左右の折り畳み部分の折り畳み範囲が広くなって安定した折り畳み状態が得られ、例えば、中央部分の上側に左右の折り畳み部分を重ねるようにして折り畳むことはでき、また、折り畳み部分を折り畳み状態から作業状態に展開したとき自動的に連結され、左右の折り畳み部分を使用状態から折り畳むときには、左右の折り畳み部分を中央部分側に回動させるだけで連結が自動的に解除されて折り畳むことができ、展開状態、折り畳み状態でも中央部分の均平板が回動して作業する農作業機を提供することを目的とする。
【０００６】
【課題を解決するための手段】
上記の目的を達成するために本発明は、以下の構成を特徴としている。
一つには、トラクタの後部に昇降可能の連結装置を介して、上下回動可能のエプロン及び均平板を備えたロータリ作業機の長さ方向中央作業部分を装着し、該中央作業部分に対して前記トラクタから動力を伝達すると共に、前記中央作業部分から左右両側に延出している折り畳み作業部分を、それぞれ中央作業部分側に折り畳み可能とした農作業機であって、上記均平板は、その中央部分と該中央部分から左右両側に延出する折り畳み部分の対向部分に、その一方にバネにより常時連結側に付勢されている連結ピンを設け、他方に該連結ピンの先端部と当接する傾斜案内板、及び該傾斜案内板により案内された連結ピンを挿通して連結する連結孔を備えてなる自動連結手段を設けたことを特徴とする。
【０００７】
また一つには、上記均平板は、前記折り畳み部分を折り畳み状態から作業状態に展開して、前記連結ピンの先端部を前記傾斜案内板に当接させた状態で作業を開始して前記均平板の前記中央部分と左右の前記折り畳み部分が接地抵抗により同じ高さになったとき、前記連結ピンが前記傾斜案内板により案内されて前記連結孔に自動的に挿通され、連結されることを特徴とする。
【０００８】
【作用】
上記の構成により本発明の折り畳み農作業機は、均平板を折り畳み状態から展開状態にしたとき作業開始により対向部分が自動的に連結され、また、展開状態から折り畳むときは、連結が自動的に解除される。そして、圃場の大きさ、形状等に合わせて、中央作業部分と左右の折り畳み作業部分の全部で作業する形態、中央作業部分に対し左右の折り畳み作業部分を折り畳んで中央作業部分だけで作業する形態、中央作業部分に対し左右の折り畳み作業部分の何れかを折り畳んで中央作業部分と左右の折り畳み作業部分の何れかで、作業する形態を選択して作業することができる。
【０００９】
【発明の実施の形態】
以下、本発明の実施の形態を添付の図面を参照して具体的に説明する。図１ないし図３において、符号１は左右方向の長さが長く砕土・代掻機能を持つ代掻ハローである。この代掻ハロー１の前部中央部分には、図示しないトラクタのトップリンクとロアーリンクとからなる周知の３点リンクヒッチ機構に連結される連結部２が設けられ、代掻ハロー１はトラクタの後部に３点リンクヒッチ機構により昇降可能に装着される。また、トラクタのＰＴＯ軸から、ユニバーサルジョイント、伝動シャフト等を介して、代掻ハロー１の前側中央部に設けられた変速ギヤボックス３に、図示しない入力軸を介して動力が伝達される。
【００１０】
代掻ハロー１は、トラクタのタイヤの間隔よりやや作業幅の広い中央作業部分４と左右の折り畳み作業部分５Ｌ，５Ｒとに３分割され、中央作業部分４の左右の端部と左右の折り畳み作業部分５Ｌ，５Ｒの内端部とを、後述するシールドカバー部位に設けられた回転支持部６，６によりほぼ１８０°回転可能に連結し、中央作業部分４の背面と左右の折り畳み作業部分５Ｌ，５Ｒの背面とを重ね合わせるようにして折り畳み可能としている。従って、中央作業部分４は、トラクタのタイヤにより圃場に付けられた車輪跡を消去可能な幅を有していることになる。図１に示されるように、中央作業部分４の長さに対し左右の折り畳み作業部分５Ｌ，５Ｒの長さを２分の１以下としている。折り畳み作業部分５Ｌ，５Ｒは左右対称であり、ほぼ同じ構成を有している。なお、図示しないが、左右の折り畳み作業部分５Ｌ，５Ｒを作業位置に展開した状態と中央作業部分４側に折り畳んだ状態とにそれぞれ固定するロック装置を設けている。
【００１１】
上記ギヤボックス４から左右両側に、本体フレームを兼ね、伝動シャフトを内装した伝動フレーム７と伝動シャフトを内装しない支持フレーム７ａを設けている。この伝動フレーム７の中央作業部分４の折り畳み作業部分５Ｌ側の外側端にチェン伝動ケース８を、支持フレーム７ａの中央作業部分４の折り畳み作業部分５Ｒ側の外側端に支持枠９をそれぞれ垂設して、該チェン伝動ケース８と支持枠９の下端部間に砕土・代掻ロータ（ロータリ作業部）１０を軸装している。この砕土・代掻ロータ１０の軸端はチェン伝動ケース８及び支持枠９から反対側にわずかに突出しており、その突出部分に、外周部に３箇所のクラッチガイド１１ａを設けたドッグクラッチ１１を取付けている。このドッククラッチ１１と噛み合い・離脱するクラッチガイド１２ａを有するドッククラッチ１２が折り畳み作業部分５Ｌ，５Ｒの対向部分に設けられている。
【００１２】
折り畳み作業部分５Ｌ，５Ｒには、前記砕土・代掻ロータ１０と同様の機能を有する砕土・代掻ロータ１３が、両側端部に設けた支持部１４に軸支され、その回転軸の内端側に前記ドッククラッチ１２を設けている。そして、クラッチ１１，１２は、図１に示すように、中央作業部分４に対し左右の折り畳み作業部分５Ｌ（または５Ｒ）を作業状態に展開したときは接続状態となり、図２に示すように、折り畳み作業部分５Ｌ（または５Ｒ）を回転部６を中心に回動して中央作業部分４上に折り畳んだときは切断される。従って、代掻ハロー１は、中央作業部分４と左右の折り畳み作業部分５Ｌ，５Ｒの全部で作業する形態、中央作業部分４に対し左右の折り畳み作業部分５Ｌ，５Ｒを折り畳んで中央作業部分４だけで作業する形態、中央作業部分４に対し左右の折り畳み作業部分５Ｌ，５Ｒの何れかを折り畳んで中央作業部分４と左右の折り畳み作業部分５Ｌ，５Ｒの何れかで作業する形態とを選択して作業することができる。
【００１３】
砕土・代掻ロ−タ１１、１３の上方は、シールドカバー１５，１５ａにより覆われており、このシールドカバー１５，１５ａの後端部に、エプロン１６、１６ａの前端部が、枢支軸１６ｂを介して上下方向に回動自在に枢着され、さらに、エプロン１６、１６ａの後端部に均平板１７、１７ａの基端部が枢支軸１７ｂにより枢支されている。本体フレームと均平板１７の長さ方向中央部に、均平板１７が枢支軸１７ｂにより自在に回動して均平作業を行う均平作業状態と、均平板１７の回動を下方側で規制して代掻き土壌の土寄せを行う土寄せ状態とに制御する均平板制御体１８が、トラクタ操縦者がトラクタに座ったまま操作可能に設けられている。
【００１４】
前記均平板１７の中央部分１７と中央部分１７から左右両側に延出する折り畳み部分１７ａ，１７ａとの対向端部には、図４に詳細に示す均平板ロック装置１９が設けられている。均平板ロック装置１９は、中央部分１７側に立設された支持板２０，２０間に連結ピン２１を左右摺動可能に支持し、この連結ピン２１にコイルバネ２２を巻装し、連結ピン２１に係止ピン２３を挿通して、連結ピン２１を常時連結側に付勢している。この連結ピン２１と対応して、折り畳み部分１７ａ側に、該連結ピン２１の先端部と当接する傾斜案内板２６により案内された連結ピン２１を挿通して連結する連結孔２５を設けている。そして、均平板１７、１７ａ，１７ａは、折り畳み部分１７ａ，１７ａを折り畳み状態から作業状態に展開すると、左右の折り畳み部分１７ａは自重により垂れ下がり、均平板制御体１８で制御されている中央部分１７に比べて下方に位置し、各連結ピン２１は傾斜案内板２６に当接した状態になる。連結ピン２１の先端部を傾斜案内板２６に当接させた状態で作業を開始して前進をはじめると中央部分１７と左右の折り畳み部分１７ａ，１７ａが接地抵抗により枢支軸１７ｂを中心に回動して同じ高さになったとき、連結ピン２１が傾斜案内板２６により案内されて連結孔２５に自動的に挿通され、連結される。また、折り畳み部分１７ａ，１７ａを折り畳むときは連結ピン２１は連結が自動的に解除される。さらに、折り畳み部分１７ａの外端部に、延長均平板を起倒可能に設けている。
【００１５】
前記砕土・代掻ロ−タ１１、１３は、図５に示すように、耕耘軸２８の軸周に固設され、耕耘爪（代掻き爪）３０の取付け基部３０ａをボルト・ナット２９により着脱可能に取付けるためのホルダ２７を設けている。このホルダ２７は、図６〜図１３に示されるように、１枚の板体（鋼板）を、打ち抜き、折曲し、プレスし、屈曲して、耕耘爪３０の取付け基部３０ａを嵌挿する取付け基部嵌挿穴３１と、該嵌挿穴３１の回転方向前側外周に設けられる第１のリブ３３と、この第１のリブ３３の反対側に設けられる後部リブ３４と、取付けボルト２９を挿通する取付けボルト挿通穴３２，３２ａと、耕耘軸２８への固着部（溶接部３７）に臨んで設けられる第２のリブ３５，３５と、を一体成型したものである。
【００１６】
即ち、ホルダ２７は、１枚の板体からホルダ本体と共に第１のリブ３３及び後部リブ３４を含む外形を打ち抜き、同時に取付けボルト挿通穴３２，３２ａを打ち抜く。次に、ホルダ本体から第１のリブ３３及び後部リブ３４を一側に９０度折曲し、プレスにより第２のリブ３５，３５及び絞り部３６，３６を形成する。そして、ホルダ本体の半分位置及び第１のリブ３３、後部リブ３４の中央位置にかけての屈曲部３７から屈曲して取付け基部嵌挿穴３２を形成する。このとき、取付けボルト挿通穴３２，３２ａは間隔を置いて対向位置にあり、第２のリブ３５，３５は間隔を置いて対向して外側（左右方向）に膨出しており、絞り部３６，３６は相互に対接している。その後、第２のリブ３５，３５及び絞り部３６，３６の下縁に形成される溶接部３８を耕耘軸２８の軸周に溶着する。
【００１７】
このホルダ２７においては、第２のリブ３５，３５が左右方向（外側）に膨らみを有しているので、ホルダ２７が回転方向に対し左右方向に倒れるのが第２のリブ３５，３５により支えられて防止される。また、絞り部３６，３６は相互に対接しているので溶接を行う必要がなく、第１のリブ３３及び後部リブ３４による補強と相まって、ホルダ本体の肉厚を薄くしても強度の向上が望め、重量の軽減化やコスト削減が図られる。さらに、第１のリブ３３は、ホルダ２７が回転するとき、耕耘爪３０より先に土壌表面と接して表層部分を砕土するよう対向面に広がりを有しており、この第１のリブ３３により、耕耘爪３０の回転前側で砕土作業が行われることになって耕耘爪３０の耕耘反力によるホルダ２７への負荷が緩和され、ホルダ２７の割れや損傷が防止される。
【００１８】
なお、ホルダ２７には、耕耘爪３０の取付け基部３０ａが後部リブ３４側から基部嵌挿穴３１に嵌挿されてボルト・ナット２９により固定され、耕耘軸２８により図５の矢印方向に回転して代掻き作業を行うようになっている。これを、耕耘爪３０の取付け基部３０ａを第１リブ３３側から基部嵌挿穴３１に嵌挿してボルト・ナット２９により固定し、耕耘軸２８を逆転させてアップカットによる耕耘・砕土作業を行うことも可能である。また、耕耘爪３０は、取付け基部３０ａに続いて縦刃３０ｂが設けられ、縦刃３０ｂの先端側を一側に屈曲させて横刃６０ｃを形成している従来周知のものと同様のものである。
【００１９】
図１４ないし図２３に示す本発明による第２実施例のホルダ３６は、上記第１実施例のホルダ２７に比べ、かなり小型化されたものである。図１４において、ホルダ４６は、耕耘軸４７の軸周に固設され、耕耘爪（代掻き爪）４９の取付け基部４２ａを嵌挿してボルト・ナット４８により着脱可能に取付けられる。このホルダ４６は、図１５〜図２３に示すように、１枚の板体（鋼板）を、打ち抜き、折曲し、プレスし、屈曲して、耕耘爪４９の取付け基部４９ａを嵌挿する取付け基部嵌挿穴５３と、該嵌挿穴５３の回転方向前側外周に設けられる第１のリブ５２と、取付けボルト４８を挿通する取付けボルト挿通穴５１，５１ａと、耕耘軸４７への固着部（溶接部５５）に臨んで設けられる第２のリブ５３，５３と、を一体成型している。
【００２０】
即ち、ホルダ４６は、１枚の板体からホルダ本体と共に第１のリブ５２を含む外形を打ち抜き、同時に取付けボルト挿通穴３２，３２ａを打ち抜く。次に、ホルダ本体から第１のリブ５２一側に９０度折曲し、プレスにより第２のリブ５３，５３を形成する。そして、ホルダ本体の半分位置及び第１のリブ５２の中央位置にかけての屈曲部５４から屈曲して取付け基部嵌挿穴５０を形成する。このとき、取付けボルト挿通穴５１，５１ａは間隔を置いて対向位置にあり、第２のリブ５２，５２は間隔を置いて対向して外側（左右方向）に膨出している。その後、第２のリブ５３，５３及びホルダ本体の下縁に形成される溶接部５５を耕耘軸４７の軸周に溶着する。
【００２１】
この第２実施例のホルダ４６においては、第２のリブ５３，５３が左右方向（外側）に膨らみを有しているので、ホルダ４６が回転方向に対し左右方向に倒れるのが第２のリブ５３，５３により支えられて防止される。また、第１のリブ５２による補強と相まって、ホルダ本体の肉厚を薄くしても強度の向上が望め、重量の軽減化やコスト削減が図られる。さらに、第１のリブ５２は、ホルダ４６が回転するとき、耕耘爪４９より先に土壌表面と接して表層部分を砕土するよう対向面に広がりを有しており、この第１のリブ５２により、耕耘爪４９の回転前側で砕土作業が行われることになって耕耘爪４９の耕耘反力によるホルダ４６への負荷が緩和され、ホルダ４６の割れや損傷が防止される。
【００２２】
なお、ホルダ４６には、耕耘爪４９の取付け基部４９ａが基部嵌挿穴５０に嵌挿されてボルト・ナット４８により固定され、耕耘軸４７により図１４の矢印方向に回転して代掻き作業が行われる。また、耕耘爪４９は、取付け基部４９ａに続いて縦刃４９ｂが設けられ、縦刃４９ｂの先端側を一側に屈曲させて横刃４９ｃを形成している従来周知のものと同様のものである。
【００２３】
このような構成の代掻ハロー１においては、図１に示すように、中央作業部分４と左右の折り畳み作業部分５Ｌ，５Ｒの全部で作業する形態、図２に示すように、中央作業部分４に対し左右の折り畳み作業部分５Ｌ，５Ｒを折り畳んで中央作業部分５のみで作業する形態、中央作業部分４に対し右側の折り畳み作業部分５Ｒを折り畳んで中央作業部分４と左側の折り畳み作業部分５Ｌで作業する形態、中央作業部分４に対し左側の折り畳み作業部分５Ｌを折り畳んで中央作業部分４と右側の折り畳み作業部分５Ｒで作業する形態の４通りの作業を、圃場の大きさ、形状等に合わせて選択して実施する。代掻ハロー１がトラクタに装着されて路上を走行移動するとき、あるいは倉庫に収納するときなどには、左右の折り畳み作業部分５Ｌ，５Ｒを折り畳んだ状態にする。
【００２４】
狭い圃場において作業するときは、中央作業部分４に対し左右の折り畳み作業部分５Ｌ，５Ｒを折り畳んで中央作業部分４のみで作業したり、片方の折り畳み作業部分５Ｌあるいは５Ｒを折り畳んで中央作業部分４と共に作業することにより、エプロン１６と共に、均平板１７が自在に上下回動して、良好な砕土・均平作業を行うことができる。また、作業が終了してトラクタ及び作業機１が圃場から出る際には、中央作業部分４によりトラクタの車輪跡が消去される。さらに、均平板１７及びその左右の均平板１７ａは、均平板制御体１８をフリーにすることにより枢支軸１７ｂを中心に回動して均平作業を行い、均平板制御体１８により均平板１７を下向きに固定することにより土寄せ作業を行うことができる。
【００２５】
均平板（折り畳み部分）１７ａ，１７ａを折り畳み状態から展開状態にすると、左右の折り畳み作業部分５Ｌ，５Ｒの均平板（折り畳み部分）１７ａは自重により垂れ下がり、均平板制御体１８で制御されている中央の均平板（中央部分）１７に比べて下方に位置し、各連結ピン２１は傾斜案内板２６に当接した状態になる。連結ピン２１の先端部を傾斜案内板２６に当接させた状態で作業を開始して前進をはじめると均平板１７の中央部分１７と左右の折り畳み部分１７ａ，１７ａが接地抵抗により枢支軸１７ｂを中心に回動して同じ高さになったとき、連結ピン２１が傾斜案内板２６により案内されて連結孔２５に自動的に挿通され、連結される。また、折り畳み部分１７ａ，１７ａを折り畳むときは連結ピン２１は連結が自動的に解除される。また、中央作業部分４に対し左右の折り畳み作業部分５Ｌ（または５Ｒ）を回転部６を中心に回動して作業状態に展開したときは、クラッチ１１，１２はクラッチガイド１１ａ，１２ａに案内されて接続状態となり、図２に示すように、折り畳み作業部分５Ｌ（または５Ｒ）を回転部６を中心に回動して中央作業部分４上に折り畳んだときはクラッチ１１，１２は自動的に切断される。
【００２６】
【発明の効果】
以上説明したように本発明の折り畳み農作業機によれば、上述の構成により以下の効果を奏することができる。すなわち、均平板は、中央部分と左右の折り畳み部分の対向部分に、その一方にバネにより常時連結側に付勢されている連結ピンを設け、他方に該連結ピンの先端部と当接する傾斜案内板、及び該傾斜案内板により案内された連結ピンを挿通して連結する連結孔を備えた自動連結手段を設けたので、均平板を折り畳み状態から展開状態にしたとき作業開始により対向部分を自動的に連結することができる。また、展開状態から折り畳むときは、連結を自動的に解除することができる。
【００２７】
また、均平板は、折り畳み部分を折り畳み状態から作業状態に展開して、連結ピンの先端部を傾斜案内板に当接させた状態で作業を開始して均平板の中央部分と左右の折り畳み部分が接地抵抗により同じ高さになったとき、連結ピンが傾斜案内板により案内されて連結孔に自動的に挿通され、連結されるので、均平板を折り畳み状態から展開状態にしたとき、また、展開状態から折り畳むときに、自動的に連結し、また解除することができる。そして、圃場の大きさ、形状等に合わせて、中央作業部分と左右の折り畳み作業部分の全部で作業する形態、中央作業部分に対し左右の折り畳み作業部分を折り畳んで中央作業部分だけで作業する形態、中央作業部分に対し左右の折り畳み作業部分の何れかを折り畳んで中央作業部分と左右の折り畳み作業部分の何れかで作業する形態とを選択して作業することができる。
【図面の簡単な説明】
【図１】本発明による折り畳み式代掻ハロー全体の後方からの斜視図である。
【図２】同左右の折り畳み作業部分を折り畳んだ状態の後方からの斜視図である。
【図３】同代掻ハロー全体の側面図である。
【図４】（ａ）、（ｂ）は均平板ロック装置の動作説明図である。
【図５】耕耘爪ホルダ（第１実施例）を備えた代掻きロータの側断面図である。
【図６】耕耘爪ホルダの第１実施例の斜視図である。
【図７】同正面図である。
【図８】同背面図である。
【図９】同平面図である。
【図１０】同底面図である。
【図１１】同左側面図である。
【図１２】図７のＡ−Ａ線断面図である。
【図１３】図９のＢ−Ｂ線断面図である。
【図１４】耕耘爪ホルダ（第２実施例）を備えた代掻きロータの側断面図である。
【図１５】耕耘爪ホルダの第２実施例の斜視図である。
【図１６】同正面図である。
【図１７】同背面図である。
【図１８】同平面図である。
【図１９】同底面図である。
【図２０】同左側面図である。
【図２１】同右側面図である。
【図２２】図１６のＣ−Ｃ線断面図である。
【図２３】図１８のＤ−Ｄ線断面図である。
【符号の説明】
１  代掻ハロー
２  連結部
３  変速ギヤボックス
４  代掻ハローの中央作業部分
５Ｌ  左の折り畳み作業部分  ５Ｒ  右の折り畳み作業部分
６  回転支持部
７  伝動フレーム  ７ａ  支持フレーム
８  チェン伝動ケース
９  支持枠
１０，１３  砕土・代掻ロータ（ロータリ作業部）
１１，１２  ドッグクラッチ  １１ａ  クラッチガイド
１４  支持部
１５，１５ａ  シールドカバー
１６，１６ａ  エプロン  １６ｂ  枢支軸
１７   均平板、中央部分
１７ａ  均平板、折り畳み部分    １７ｂ  枢支軸
１８  均平板制御体
１９  均平板ロック装置（自動連結手段）
２０，２４  支持板
２１  連結ピン
２２  コイルバネ
２３  係止ピン
２５  連結孔
２６  傾斜案内板
２７，４６  耕耘爪ホルダ
２８，４７  耕耘軸
２９，４８  ボルト・ナット
３０，４９  耕耘爪（代掻き爪）
２０ａ，４９ａ  取付け基部
２０ｂ，４９ｂ  縦刃
３０ｃ，４９ｃ  横刃
３１，５０  取付け基部嵌挿穴
３２，３２ａ，５１，５１ａ
取付けボルト挿通穴
３３，５２  第１のリブ
３４  後部リブ
３５，５３  第２のリブ
３６  絞り部
３７，５４  屈曲部
３８，５５  耕耘軸への溶接部
【図１】
0004008742.tif 000002
【図２】
0004008742.tif 000003
【図３】
0004008742.tif 000004
【図４】
0004008742.tif 000005
【図５】
0004008742.tif 000006
【図６】
0004008742.tif 000007
【図７】
0004008742.tif 000008
【図８】
0004008742.tif 000009
【図９】
0004008742.tif 000010
【図１０】
0004008742.tif 000011
【図１１】
0004008742.tif 000012
【図１２】
0004008742.tif 000013
【図１３】
0004008742.tif 000014
【図１４】
0004008742.tif 000015
【図１５】
0004008742.tif 000016
【図１６】
0004008742.tif 000017
【図１７】
0004008742.tif 000018
【図１８】
0004008742.tif 000019
【図１９】
0004008742.tif 000020
【図２０】
0004008742.tif 000021
【図２１】
0004008742.tif 000022
【図２２】
0004008742.tif 000023
【図２３】
0004008742.tif 000024